(57)【要約】【課題】固定金具自体がスライドすることにより配管の高さ調整を可能にし、かつ挟み部を設けることにより水平方向にも調整可能とした配管固定金具。【解決手段】長孔５を有するベース部材２と湾曲欠落端部６を有する一対の配管固定部材３と上部に固定用孔を複数個有する土台取付部材４とで構成した配管固定金具１において、両配管固定部材３の湾曲欠落端部６を相対するように前記ベース部材２の両側より上下方向に各々スライド自在に嵌合することにより、ベース部材２の長孔５と両配管固定部材３の湾曲欠落端部６とにより配管挟み部８を調整可能にしてなる。【選択図】      図１
2004150469.tif 000002
【特許請求の範囲】
【請求項１】
略中央の位置に長孔を有するベース部材と湾曲欠落端部を有する一対の配管固定部材と上部に固定用孔を複数個有する土台取付部材とで構成した配管固定金具において、両配管固定部材の湾曲欠落端部を相対するように前記ベース部材の両側より上下方向に各々スライド自在に嵌合することにより、ベース部材の長孔と両配管固定部材の湾曲欠落端部とにより配管挟み部を調整可能にしてなることを特徴とする配管固定金具。
【請求項２】
上記両配管固定部材が前後にずれてベース部材にスライド自在に勘合するとともに、ベース部材を土台取付部材の下方に固定してなることを特徴とする請求項１に記載の配管固定金具。
【請求項３】
下部の位置に長孔を有するベース部材と湾曲欠落端部を有する一対の配管固定部材と上部に固定用孔を複数個有する土台取付部材とで構成した配管固定金具において、両配管固定部材の湾曲欠落端部を相対するように前記ベース部材の下方の両側より左右方向に各々スライド自在に嵌合するとともに、上記ベース部材が該ベース部材の上部を根太取付部材の下部に上下方向にスライド自在に勘合するとともに、該ベース部材の長孔と両配管固定部材の湾曲欠落端部とにより配管挟み部を調整可能にしてなることを特徴とする配管固定金具。
【請求項４】
上記土台取付部材に目盛りを下方が自由になるように固定し、上下方向にスライド自在に摺動するとともに、配管を保持する配管保持孔を有するベース部材の配管保持孔の位置出し用に、ベース部材近傍に目盛りが形成されていることを特徴とする請求項３に記載の配管固定金具。
【請求項５】
下部の位置に長孔を複数有するベース部材と湾曲欠落端部を有する複数対の配管固定部材と上部に固定用孔を複数個有する土台取付部材とで構成した配管固定金具において、両配管固定部材の湾曲欠落端部を相対するように前記ベース部材の下方の両側に上下方向に各々スライド自在に嵌合するとともに、上記ベース部材が該ベース部材の上部を土台取付部材の下部に上下方向にスライド自在に勘合するとともに、該ベース部材の長孔と両配管固定部材の湾曲欠落端部とにより配管挟み部を調整可能にしてなることを特徴とする配管固定金具。
【発明の詳細な説明】
【０００１】
【発明の属する技術分野】
本発明は、配管固定金具に関するものである。
【０００２】
【従来の技術】
従来、図５に示すように、裏配管固定金具４１で、高さ方向を調整可能にした配管固定金具４１がある。これは、浴室の床フロアー４７の裏の土台４６に給水給湯裏配管４５を固定バンド部４２で保持し２つの吊り金具４３，４４どうしの固定位置を変えることにより、高さ方向を調整可能にした配管固定金具４１である。
【０００３】
また、図６に示すものは、配管をバンドにて固定するものである。裏配管固定金具４９に給水給湯配管５０、５１をインシュロックタイで保持して固定するものである。
【０００４】
このような固定金具が従来から考案されている。（例えば、特許文献１参照）
【０００５】
【特許文献１】
実開平６−２７９６６号公報（第３頁、図５）
【０００６】
【発明が解決しようとする課題】
ところで、図１のタイプは取出し位置の高さはある程度調整できるが、管径は決まったものしか取付かない。図２のタイプはある程度の管径には対応できるが、高さ調整はできない。かつ双方とも配管１本に対してのみ対応できる固定金具である。
【０００７】
本発明は、上記の問題点を解消するためのもので、固定金具自体がスライドすることにより配管の高さ調整を可能にし、かつ挟み部を設けることにより水平方向にも調整可能としたものである。更に、１つの本体に複数の配管固定部を設けたものである。
【０００８】
【課題を解決するための手段】
本発明の請求項１記載の配管固定金具は、略中央の位置に長孔を有するベース部材と湾曲欠落端部を有する一対の配管固定部材と上部に固定用孔を複数個有する土台取付部材とで構成した配管固定金具において、両配管固定部材の湾曲欠落端部を相対するように前記ベース部材の両側より上下方向に各々スライド自在に嵌合することにより、ベース部材の長孔と両配管固定部材の湾曲欠落端部とにより配管挟み部を調整可能にしてなる。
【０００９】
このものにあっては、ベース部材の長孔と両配管固定部材の湾曲欠落端部とにより配管挟み部の大きさが調整可能となるため、管径の太さに問わず同じ固定金具で対応できるものである。
【００１０】
本発明の請求項２記載の配管固定金具は、請求項１に記載の上記両配管固定部材が前後にずれてベース部材にスライド自在に勘合するとともに、ベース部材を土台取付部材の下方に固定してなる。
【００１１】
このものにあっては、配管固定部材が前後にずらされており、強固に挟んで固定することができる。
【００１２】
本発明の請求項３記載の配管固定金具は、下部の位置に長孔を有するベース部材と湾曲欠落端部を有する一対の配管固定部材と上部に固定用孔を複数個有する土台取付部材とで構成した配管固定金具において、両配管固定部材の湾曲欠落端部を相対するように前記ベース部材の下方の両側より左右方向に各々スライド自在に嵌合するとともに、上記ベース部材が該ベース部材の上部を土台取付部材の下部に上下方向にスライド自在に勘合するとともに、該ベース部材の長孔と両配管固定部材の湾曲欠落端部とにより配管挟み部を調整可能にしてなる。
【００１３】
このものにあっては、上下左右の位置調整が可能で、管径の太さに対応でき、複数の配管にも対応することができる。
【００１４】
本発明の請求項４記載の配管固定金具は、請求項３記載の上記土台取付部材に目盛りを下方が自由になるように固定し、上下方向にスライド自在に摺動するとともに、配管を保持する配管保持孔を有するベース部材の配管保持孔の位置出し用に、ベース部材近傍に目盛りが形成されてなる。
【００１５】
このものにあっては、高さ方向の位置出しを正確にできる。
【００１６】
本発明の請求項５記載の配管固定金具は、下部の位置に長孔を複数有するベース部材と湾曲欠落端部を有する複数対の配管固定部材と上部に固定用孔を複数個有する土台取付部材とで構成した配管固定金具において、両配管固定部材の湾曲欠落端部を相対するように前記ベース部材の下方の両側に上下方向に各々スライド自在に嵌合するとともに、上記ベース部材が該ベース部材の上部を土台取付部材の下部に上下方向にスライド自在に勘合するとともに、該ベース部材の長孔と両配管固定部材の湾曲欠落端部とにより配管挟み部を調整可能にしてなる。
【００１７】
このものにあっては、上下の位置調整や複数箇所での固定が可能で、管径の太さに対応でき、複数の配管にも対応することができる。
【００１８】
【発明の実施の形態】
以後、本発明の実施形態を、図を用いて説明する。
本発明の実施形態に係る配管固定金具は、上下の位置調整や左右の位置調整が可能で、管径の太さに対応でき、複数の配管にも対応できるものである。
【００１９】
本発明の実施形態に係る配管固定金具は、管径の太さに対応でき、複数の配管にも対応できるものである。図１に示すように、略中央の位置に長孔５を有するベース部材２と湾曲欠落端部６を有する一対の配管固定部材３と上部に固定用孔を複数個有する土台取付部材４とで構成した配管固定金具１において、両配管固定部材３の湾曲欠落端部６を相対するように前記ベース部材２の両側より上下方向に各々スライド自在に嵌合することにより、ベース部材２の長孔５と両配管固定部材３の湾曲欠落端部６とにより配管挟み部８を調整可能にしてなる。
【００２０】
土台取付部材４は、土台９に固定される。土台４は、建築土台や浴槽裏面のリブ部又はフレーム等である。配管７はベース部材２に設けた長孔５に貫通させ、上下の配管固定部材３をスライドさせることにより固定される。ここで、配管固定部材３及びベース部材２には、ｍｍ単位の凹凸部１０が設けられており、それを介してスライド及び固定するものである。
【００２１】
そして、上記両配管固定部材３が前後にずれてベース部材２にスライド自在に勘合するとともに、ベース部材２を土台取付部材４の下方に固定してなる。固定部材３は、前後にずらされており、かつ先端を楕円形状の湾曲欠落端部６にすることにより強固に固定できるようにしてある。
【００２２】
本発明の別の実施形態に係る配管固定金具は、上下左右の位置調整が可能で、管径の太さに対応でき、複数の配管にも対応できるものである。図２に示すように、下部の位置に長孔５を有するベース部材２と湾曲欠落端部６を有する一対の配管固定部材３と上部に固定用孔を複数個有する土台取付部材４とで構成した配管固定金具１において、両配管固定部材３の湾曲欠落端部６を相対するように前記ベース部材２の下方の両側より左右方向に各々スライド自在に嵌合するとともに、上記ベース部材２が該ベース部材２の上部を土台取付部材４の下部に上下方向にスライド自在に勘合するとともに、該ベース部材２の長孔５と両配管固定部材３の湾曲欠落端部６とにより配管挟み部８を調整可能にしてなる。
【００２３】
床及び土台９に固定された土台取付部材４は内部にスライド部１０を有しており、双方の両端に設けられた凹凸部を介して上下高さ調整できるようにしたものである。
ベース部材２の下端には長孔５及び配管固定部材３が設けられており、配管固定部材３を左右にスライドさせることにより位置調整及び固定するものである。スライド方式は同様にベース部材２及び土台固定部材４に設けられた凹凸部を介して行う。
【００２４】
本発明の別の実施形態に係る配管固定金具は、図３に示すように、上記土台取付部材４に目盛り１１を下方が自由になるように固定し、上下方向にスライド自在に摺動するとともに、配管７を保持する配管挟み部８を有するベース部材２の配管挟み部８の位置出し用に、ベース部材２近傍に目盛り１１が形成されている。
【００２５】
高さ方向の位置出しを正確にできるようにベース部材２に目盛り１１を備え付けたものである。
【００２６】
本発明のさらに別の実施形態に係る配管固定金具１は、上下の位置調整や複数箇所での固定が可能で、管径の太さに対応でき、複数の配管にも対応できるものである。図４に示すように、下部の位置に長孔５を複数有するベース部材２と湾曲欠落端部６を有する複数対の配管固定部材３と上部に固定用孔を複数個有する土台取付部材４とで構成した配管固定金具１において、両配管固定部材３の湾曲欠落端部６を相対するように前記ベース部材２の下方の両側に上下方向に各々スライド自在に嵌合するとともに、上記ベース部材が２該ベース部材２の上部を土台取付部材４の下部に上下方向にスライド自在に勘合するとともに、該ベース部材２の長孔５と両配管固定部材３の湾曲欠落端部６とにより配管挟み部８を調整可能にしてなる。
【００２７】
ベース部材２がＴ字型であり、両端に設けた長孔５、配管固定部材３により調整及び固定するものである。
【００２８】
【発明の効果】
以上の説明により、本発明の配管固定金具によると、上下左右の位置調整が可能であるため、現場での取付が簡便にできる。また、管径の太さを問わず同じ配管固定金具で対応できる。更に、１つの配管固定金具で複数の配管が固定できる。
【図面の簡単な説明】
【図１】本発明の実施形態に係る配管固定金具を示し、（ａ）は構成を示す正面図で、（ｂ）は側面図である。
【図２】本発明の別の実施形態に係る配管固定金具を示し、（ａ）は構成を示す正面図で、（ｂ）は側面図である。
【図３】本発明の別の実施形態に係る配管固定金具を示し、（ａ）は目盛りを示す正面図で、（ｂ）は側面図である。
【図４】本発明の別の実施形態に係る配管固定金具を示し、（ａ）は構成を示す正面図で、（ｂ）は側面図である。
【図５】従来の配管固定金具での高さ調整を示す斜視図である。
【図６】従来の配管固定金具での管径の大きさへの対応を示す斜視図である。
【符号の説明】
１      配管固定部材
２      ベース部材
３      配管固定部材
４      土台取付部材
５      長孔
６      湾曲欠落端部
７      配管
８            配管挟み部
９            土台
１０        スライド部
１１        目盛り
【図１】
2004150469.tif 000003
【図２】
2004150469.tif 000004
【図３】
2004150469.tif 000005
【図４】
2004150469.tif 000006
【図５】
2004150469.tif 000007
【図６】
2004150469.tif 000008